(57)【要約】【課題】電源プラグ不使用時に紛失することなく、電源コードの識別タグの取付け部品を設けることなく識別タグを取付け可能な電源プラグ導電部の絶縁カバーを提供する。【解決手段】絶縁カバー１は、プラグ収容部１３とコード把持部１５とタグ取付け部１７とが絶縁材料からなる帯状部材１８で一体に形成され、帯状部材１８は折り曲げ自在であり、両端部近傍の表面に嵌合部１９Ａ、１９Ｂが設けられ、タグ１６を帯状部材１８に取付け、帯状部材１８を折り曲げ嵌合部１９Ａ、１９Ｂで帯状部材１８の両端部を嵌合することでコード１４を把持する。【選択図】図１
2008166166.tif 000002
【特許請求の範囲】
【請求項１】
電源プラグの複数の導電部を個別に収容するプラグ収容部と、
前記電源プラグのコードを把持するコード把持部と、
前記電源プラグを識別するタグを取付けるタグ取付け部と、
を備えたことを特徴とする電源プラグの導電部の絶縁カバー。
【請求項２】
前記プラグ収容部とコード把持部とタグ取付け部とが絶縁材料からなる帯状部材で一体に形成され、前記帯状部材は折り曲げ自在であり、両端部近傍の表面に嵌合部が設けられ、前記タグを前記帯状部材に取付け、前記帯状部材を折り曲げ前記嵌合部で前記帯状部材の両端部を嵌合することで前記コードを把持する、
請求項１に記載の電源プラグの導電部の絶縁カバー。
【請求項３】
前記絶縁カバーは、絶縁材料からなるＬ字形状とその対称の逆Ｌ字形状の２つの部材と該２つの部材を結合したとき開口する部分を蓋う蓋とに分離して形成され、前記Ｌ字形状部材と前記逆Ｌ字形状部材が対向する面の各両端部に前記Ｌ字形状部材と前記逆Ｌ字形状部材とを結合する嵌合部が設けられ、
前記プラグ収容部は、前記Ｌ字形状部材と前記逆字形状部材の各コーナに設けられ、
前記コード把持部は、前記Ｌ字形状部材と前記逆字形状部材とを前記嵌合部で結合することで前記コードを把持し、
前記タグ取付け部は、前記Ｌ字形状部材と前記逆Ｌ字形状部材の各両端の中間に前記タグを配設し、前記Ｌ字形状部材と前記逆Ｌ字形状部材とを前記嵌合部で結合することで前記タグを取付ける、
請求項１に記載の電源プラグの導電部の絶縁カバー。
【請求項４】
前記Ｌ字形状部材と前記逆Ｌ字形状部材がそれぞれ独立分離して別個にループを形成して、別個にコードにタグを取り付ける、
請求項３に記載の電源プラグの導電部の絶縁カバー。
【請求項５】
前記タグを前記コードの接続対象機器が重要であることを示す警告色とした、
請求項１乃至４の何れか１項に記載の電源プラグの導電部の絶縁カバー。
【発明の詳細な説明】
【技術分野】
【０００１】
本発明は、各種電気機器製品に使用される電源コードにおいて、電源プラグの不使用時における電源プラグ導電部の保護カバーとしての絶縁構造と、電源コードを接続すべき電気機器あるいは電源コードの持ち主を容易に判別可能なコード識別タグの取付構造とを併せ持つ絶縁カバーに関する。
【背景技術】
【０００２】
一般的なパーソナルコンピュータ（以後、ＰＣと記述）等の電気機器の電源コードには、電源コードのプラグに、未使用時に、例えば水などの外部からの影響を受けないように、電源プラグの導電金属部をカバーするための絶縁物からなるカバー（以下、絶縁カバーと記す）が取り付けられている。
【０００３】
特許文献１に記載の電源プラグの感電防止ガードは、電源プラグに、導電金属部を覆うように蛇腹のガードを設けたものである。この感電防止ガードは、導電金属部に指が触れて感電することを防止するため、プラグがコンセントに差込まれている時には、導電金属部を露出するように蛇腹部が後退し、コンセントから引き抜かれた時には導電金属部を覆うように蛇腹が伸びる構造となっている。
【０００４】
従来技術の絶縁カバーは、電源コードをコンセントに差込んで使用する時には不要となるため個別に保管しておく必要があるが、小さいものであるため紛失する恐れがある。
【０００５】
特許文献２に記載の電源プラグの端子用カバーは、同文献図６に示されるように、給電ケーブル２１の所要箇所を把持可能なクランプ１６と、屈曲性を有し且つ一端部がクランプ１６に連なる帯状の結束帯１５とを有し、結束帯１５の他端部を電源プラグの金属製受電端子を被覆する保護部１２ａ、１２ｂの内の１つ１２ｂに連結した構成を有する絶縁カバーである。
【０００６】
上記特許文献２に記載の電源プラグ（ＡＣプラグ１０）の端子用カバー（保護部１２ａ、１２ｂ）において、端子用カバー１２ａ、１２ｂと、給電ケーブル２１を把持するクランプ１６と、給電ケーブル２１を束ねる結束帯１５とがそれぞれ分離した部品であり、これらの部品を連結することにより、電源プラグ１０不使用時に端子用カバー１２ａ、１２ｂが紛失することを防止することができる。
【０００７】
【特許文献１】特開平８−２８７９９４号公報（明細書の［請求項１］、段落番号［０００３］、［０００６］および図面の［図１］〜［図３］参照）。
【特許文献２】特開２００２−３１３４７６号公報（特許請求の範囲の［請求項１］、［請求項３］、明細書の段落番号［００１２］、［００１５］、［００１９］、［００２２］、［００２７］、［００２８］、［００３４］、［００３７］および［００４２］および図面の［図１］〜［図４］、［図６］参照）。
【発明の開示】
【発明が解決しようとする課題】
【０００８】
しかしながら、上記特許文献２に記載の電源プラグの端子用カバー（絶縁カバー）は部品点数が多いという問題がある。
【０００９】
しかるに、電源コードには、その電源コードを接続すべき電気機器あるいはその電源コードの持ち主を容易に識別するため、電源コードにタグ（以下、識別タグと記す）を取付ける場合があり、このため識別タグを取付けるための部品を絶縁カバーの部品とは別に設けなければならないという問題がある。
【００１０】
本発明は、上記問題を解決することを目的とし、すなわち電源プラグ不使用時における電源プラグ導電部の絶縁カバーの紛失を防止し、かつ絶縁カバー部品の他に電源コードを識別するための識別タグの取付け部品を別途設けなくてもよい、部品点数の少ない簡単な構成の電源プラグの導電部の絶縁カバーを提供することを目的とする。
【課題を解決するための手段】
【００１１】
上記課題を解決する本発明による電源プラグの導電部の絶縁カバーは、電源プラグの複数の導電部を個別に収容するプラグ収容部と、前記電源プラグのコードを把持するコード把持部と、前記電源プラグを識別するタグを取付けるタグ取付け部と、を備えたことを特徴とする。
【００１２】
上記電源プラグの導電部の絶縁カバーにおいて、第１実施形態に係る絶縁カバーは、前記プラグ収容部とコード把持部とタグ取付け部とが絶縁材料からなる帯状部材で一体に形成され、前記帯状部材は折り曲げ自在であり、両端部近傍の表面に嵌合部が設けられ、前記タグを前記帯状部材に取付け、前記帯状部材を折り曲げ前記嵌合部で前記帯状部材の両端部を嵌合することで前記コードを把持する。
【００１３】
上記電源プラグの導電部の絶縁カバーにおいて、第１実施形態に係る絶縁カバーは、絶縁材料からなるＬ字形状とその対称の逆Ｌ字形状の２つの部材と該２つの部材を結合したとき開口する部分を蓋う蓋とに分離して形成され、前記Ｌ字形状部材と前記逆Ｌ字形状部材が対向する面の各両端部に前記Ｌ字形状部材と前記逆Ｌ字形状部材とを結合する嵌合部が設けられ、前記プラグ収容部は、前記Ｌ字形状部材と前記逆字形状部材の各コーナに設けられ、前記コード把持部は、前記Ｌ字形状部材と前記逆字形状部材とを前記嵌合部で結合することで前記コードを把持し、前記タグ取付け部は、前記Ｌ字形状部材と前記逆Ｌ字形状部材の各両端の中間に前記タグを配設し、前記Ｌ字形状部材と前記逆Ｌ字形状部材とを前記嵌合部で結合することで前記タグを取付ける。
【００１４】
上記電源プラグの導電部の絶縁カバーにおいて、前記Ｌ字形状部材と前記逆Ｌ字形状部材がそれぞれ独立分離して別個にループを形成して、別個にコードにタグを取り付ける。
【００１５】
上記電源プラグの導電部の絶縁カバーにおいて、前記タグを前記コードの接続対象機器が重要であることを示す警告色とする。
【発明の効果】
【００１６】
上記構成により、電源プラグ不使用時における電源プラグ導電部の絶縁カバーの紛失を防止し、かつ絶縁カバー部品の他に電源コードを識別するための識別タグの取付け部品を別途設けなくてもよい、部品点数の少ない簡単な構成の電源プラグの導電部の絶縁カバーを提供することができる。
【発明を実施するための最良の形態】
【００１７】
図１は本発明の第１実施形態に係る電源プラグの導電部の絶縁カバーを示す図であり、（Ａ）は斜視図であり、（Ｂ）はタグを取付けた絶縁カバーに電源プラグの導電部を収容する様を示す図である。図１の（Ａ）および（Ｂ）に示すように、電源プラグ１１の導電部１２の絶縁カバー１には、電源プラグ１１の複数の導電部１２を個別に収容するプラグ収容部１３と、電源プラグ１１のコード１４を把持するコード把持部１５と、電源プラグ１１を識別するタグ１６を取付けるタグ取付け部１７とを備える。
【００１８】
プラグ収容部１３とコード把持部１５とタグ取付け部１７とが絶縁材料からなる帯状部材１８で一体に形成され、帯状部材１８は折り曲げ自在であり、両端部近傍の表面に凸嵌合部１９Ａ、凹嵌合部１９Ｂが設けられている。タグ１６を帯状部材１８に取付け、帯状部材１８を折り曲げ、凸嵌合部１９Ａ、凹嵌合部１９Ｂで帯状部材１８の両端部を嵌合することでコード１４を把持する。
【００１９】
図２は本発明の第２実施形態に係る電源プラグの導電部の絶縁カバーを示す図であり、（Ａ）はＬ字形状部材の斜視図であり、（Ｂ）はＬ字形状部材と逆Ｌ字形状部材と蓋とを組立てた様を示す図である。図２の（Ａ）および（Ｂ）に示すように、絶縁カバー２は、絶縁材料からなるＬ字形状とその対称の逆Ｌ字形状の２つの部材２１、２２と２つの部材２１、２２を結合したとき開口する部分を蓋う蓋２０とに分離して形成される。Ｌ字形状部材２１と逆Ｌ字形状部材２２が対向する面の各両端部にＬ字形状部材２１と逆Ｌ字形状部材２２とを結合する凸嵌合部２９Ａ、凹嵌合部２９Ｂが設けられている。
【００２０】
プラグ収容部２３は、Ｌ字形状部材２１と逆Ｌ字形状部材２２の各コーナに設けられる。コード把持部２５は、Ｌ字形状部材２１と逆Ｌ字形状部材２２とを凸嵌合部２９Ａ、凹嵌合部２９Ｂで結合することでＬ字形状部材２１と逆Ｌ字形状部材２２とがコード（不図示）を押圧して把持する。
【００２１】
なお、凸嵌合部２９Ａまたは凹嵌合部２９Ｂに対応する不図示の第二の凹嵌合部または第二の凸嵌合部をＬ字形状部材２１と逆Ｌ字形状部材２２との蓋２０に近い面またはその近傍の付近にそれぞれ設ければ、例えば、Ｌ字形状部材２１を折り曲げて、Ｌ字形状部材２１の凸嵌合部２９ＡとＬ字形状部材２１の第二の凹嵌合部とを嵌合させることができる。そして、そのように嵌合することでＬ字形状部材２１により形成されるループ内にコードを通し、またＬ字形状部材２１に図１（Ｂ）の１６に示すようなタグを付することで、Ｌ字形状部材２１と逆Ｌ字形状部材２２とのそれぞれが、独立分離して別個にコードにタグを取り付けることが可能になる。また、蓋２０は、Ｌ字形状部材２１または逆Ｌ字形状部材２２との間で嵌合可能な構成になっている。
【００２２】
タグ取付け部２７は、Ｌ字形状部材２１と逆Ｌ字形状部材２２の各両端の中間にタグ（不図示）を配設し、Ｌ字形状部材２１と逆Ｌ字形状部材２２とを凸嵌合部２９Ａ、凹嵌合部２９Ｂで結合し蓋２０で蓋うことでタグを取付ける。
蓋２０はＬ字形状部材２１と逆Ｌ字形状部材２２とに接着剤で固定するかまたはＬ字形状部材２１と逆Ｌ字形状部材２２との間で嵌合することで固定する。
【００２３】
第１及び第２実施形態において、電源プラグの導電部の絶縁カバーはコードを電源に接続するコンセント側およびコードが接続された機器側の何れか一方または両方の側に取付けることができる。特にコードが長い場合には、第２実施形態でＬ字形状部材２１と逆Ｌ字形状部材２２を別個にコードのコンセント側と機器側の両方の端に取り付けることで、複数のコードが絡まった状態であっても容易に所望のコードを見分けることが可能になる。
【００２４】
第１及び第２実施形態に係る電源プラグの導電部の絶縁カバーによれば、電源プラグ不使用時における電源プラグ導電部の絶縁カバーの紛失を防止し、かつ絶縁カバー部品の他に電源コードを識別するための識別タグの取付け部品を別途設けなくてもよくなる。また、絶縁カバーを部品点数の少ない簡単な構成にすることができる。
【００２５】
第１及び第２実施形態において、タグの色を警告色、例えば赤または黄とすることにより、コードの接続対象機器が重要であることを示すことができる。
【００２６】
図３は図２に示す蓋の代用として取付けられるアクセサリを示す図であり、（Ａ）は第１具体例を示す図であり、（Ｂ）は第２具体例を示す図であり、（Ｃ）は（Ｂ）に示すアクセサリを図２に示す絶縁カバーに嵌合により結合する第３具体例を示す図である。第１具体例および第２具体例では図２の（Ｂ）に示すＬ字形状部材２１と逆Ｌ字形状部材２２の開放端でこれらアクセサリを接着剤で固定する。一方、第３具体例では図２の（Ｂ）に示すＬ字形状部材２１と逆Ｌ字形状部材２２の開放端でこれらアクセサリをアクセサリの嵌合部３９で嵌合して固定する。この場合、Ｌ字形状部材２１と逆Ｌ字形状部材２２の開放端には嵌合部が設けられる。
【００２７】
図３に示すアクセサリは左右に分離でき、中央ラインを押し開けて電源コードおよびタグを出し入れすることができる。
【００２８】
図３に示すアクセサリは左右対称の形状および図柄で構成されるが、左右対称でなくてもよい。また、アクセサリはマスコットそのものまたはアクセサリにマスコットを取付け可能としたものでもよい。
【００２９】
（付記１）
電源プラグの複数の導電部を個別に収容するプラグ収容部と、
前記電源プラグのコードを把持するコード把持部と、
前記電源プラグを識別するタグを取付けるタグ取付け部と、
を備えたことを特徴とする電源プラグの導電部の絶縁カバー。
（付記２）
前記プラグ収容部とコード把持部とタグ取付け部とが絶縁材料からなる帯状部材で一体に形成され、前記帯状部材は折り曲げ自在であり、両端部近傍の表面に嵌合部が設けられ、前記タグを前記帯状部材に取付け、前記帯状部材を折り曲げ前記嵌合部で前記帯状部材の両端部を嵌合することで前記コードを把持する、
付記１に記載の電源プラグの導電部の絶縁カバー。
（付記３）
前記絶縁カバーは、絶縁材料からなるＬ字形状とその対称の逆Ｌ字形状の２つの部材と該２つの部材を結合したとき開口する部分を蓋う蓋とに分離して形成され、前記Ｌ字形状部材と前記逆Ｌ字形状部材が対向する面の各両端部に前記Ｌ字形状部材と前記逆Ｌ字形状部材とを結合する嵌合部が設けられ、
前記プラグ収容部は、前記Ｌ字形状部材と前記逆字形状部材の各コーナに設けられ、
前記コード把持部は、前記Ｌ字形状部材と前記逆字形状部材とを前記嵌合部で結合することで前記コードを把持し、
前記タグ取付け部は、前記Ｌ字形状部材と前記逆Ｌ字形状部材の各両端の中間に前記タグを配設し、前記Ｌ字形状部材と前記逆Ｌ字形状部材とを前記嵌合部で結合することで前記タグを取付ける、
付記１に記載の電源プラグの導電部の絶縁カバー。
（付記４）
前記Ｌ字形状部材と前記逆Ｌ字形状部材がそれぞれ独立分離して別個にループを形成して、別個にコードにタグを取り付ける、
付記３に記載の電源プラグの導電部の絶縁カバー。
（付記５）
前記タグを前記コードの接続対象機器が重要であることを示す警告色とした、
付記１乃至４の何れか１つに記載の電源プラグの導電部の絶縁カバー。
【図面の簡単な説明】
【００３０】
【図１】本発明の第１実施形態に係る電源プラグの導電部の絶縁カバーを示す図であり、（Ａ）は斜視図であり、（Ｂ）はタグを取付けた絶縁カバーに電源プラグの導電部を収容する様を示す図である。
【図２】本発明の第２実施形態に係る電源プラグの導電部の絶縁カバーを示す図であり、（Ａ）はＬ字形状部材の斜視図であり、（Ｂ）はＬ字形状部材と逆Ｌ字形状部材と蓋とを組立てた様を示す図である。
【図３】図２に示す蓋の代用として取付けられるアクセサリを示す図であり、（Ａ）は第１具体例を示す図であり、（Ｂ）は第２具体例を示す図であり、（Ｃ）は（Ｂ）に示すアクセサリを図２に示す絶縁カバーに嵌合により結合する第３具体例を示す図である。
【符号の説明】
【００３１】
１、２    絶縁カバー
１１    電源プラグ
１２    導電部
１３、２３    プラグ収容部
１４    コード
１５、２５    コード把持部
１６    タグ
１７、２７    タグ取付け部
１８    帯状部材
１９Ａ、２９Ａ    凸嵌合部
１９Ｂ、２９Ｂ    凹嵌合部
２０    蓋
２１    Ｌ字形状部材
２２    逆Ｌ字形状部材
【図１】
2008166166.tif 000003
【図２】
2008166166.tif 000004
【図３】
2008166166.tif 000005